Podtech/llm-jp-corpus-v4-ja_patent huggingface dataset:
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
アップリンク（ＵＬ）送信のために第１のワイヤレス局（ＳＴＡ）にリソースを割り振る方法であって、
前記第１のＳＴＡがキューアップリンク（ＵＬ）データを有する１つまたは複数のアクセスカテゴリまたはトラフィック識別子（ＴＩＤ）と、前記１つまたは複数のアクセスカテゴリまたはＴＩＤに関連付けられたキューＵＬデータの量とを示すバッファステータス情報を、前記第１のＳＴＡから受信することと、
前記第１のＳＴＡから受信された前記バッファステータス情報に少なくとも部分的に基づいてリソースユニット（ＲＵ）割り振りスキームを決定することと、
前記ＲＵ割り振りスキームに従って前記第１のＳＴＡにＲＵの第１のセットを割り振ることと、
ＲＵの前記第１のセットを介して、前記第１のＳＴＡから前記キューＵＬデータのうちの少なくともいくつかを受信することと
を備え、ここにおいて、前記バッファステータス情報は、前記１つまたは複数のアクセスカテゴリを識別するビットマップと、前記識別されたアクセスカテゴリのうちの少なくとも１つに属するキューＵＬデータの量を示す１つまたは複数のバッファ状態フィールドと、量子化値とを備え、
ここにおいて、前記１つまたは複数のバッファ状態フィールドにおいて提供される情報は、前記量子化値に基づいて量子化され、
ここにおいて、前記バッファステータス情報は、前記キューＵＬデータの優先度レベルをさらに示し、前記優先度レベルは、サービス品質（ＱｏＳ）パラメータ、遅延要件、前記キューＵＬデータに関連付けられた１つまたは複数のアクセスカテゴリ、あるいは前記キューＵＬデータに関連付けられた１つまたは複数のＴＩＤに少なくとも部分的に基づく、方法。
【請求項２】
前記１つまたは複数のバッファ状態フィールドは、前記識別されたアクセスカテゴリの各々のためのそれぞれのバッファ状態フィールドを備える、請求項１に記載の方法。
【請求項３】
前記１つまたは複数のバッファ状態フィールドは、
前記識別されたアクセスカテゴリ間の最高優先度アクセスカテゴリに属するキューＵＬデータの量を示す第１のバッファ状態フィールド
を備える、請求項１に記載の方法。
【請求項４】
前記１つまたは複数のバッファ状態フィールドは、
前記最高優先度アクセスカテゴリ以外の任意のアクセスカテゴリに属するキューＵＬデータの量を示す第２のバッファ状態フィールド
をさらに備える、請求項３に記載の方法。
【請求項５】
前記１つまたは複数のバッファ状態フィールドは、
前記第１のＳＴＡにおけるキューＵＬデータのアグリゲート量を示す第２のバッファ状態フィールド
をさらに備える、請求項３に記載の方法。
【請求項６】
前記最高優先度アクセスカテゴリは、前記第１のＳＴＡによって決定される、請求項３に記載の方法。
【請求項７】
第２のＳＴＡがキューＵＬデータを有する１つまたは複数のアクセスカテゴリまたはＴＩＤと、前記第２のＳＴＡの前記１つまたは複数のアクセスカテゴリまたはＴＩＤに関連付けられたキューＵＬデータの量とを示すバッファステータス情報を、前記第２のＳＴＡから受信することと、ここにおいて、前記ＲＵ割り振りスキームはさらに、前記第２のＳＴＡから受信された前記バッファステータス情報に少なくとも部分的に基づく、
前記ＲＵ割り振りスキームに従って、前記第２のＳＴＡにＲＵの第２のセットを割り振ることと、
ＲＵの前記第２のセットを介して、前記第２のＳＴＡから前記キューＵＬデータのうちの少なくともいくつかを受信することと
をさらに備える、請求項１に記載の方法。
【請求項８】
前記バッファステータス情報を要求するバッファステータス要求を前記第１のＳＴＡに送信すること
をさらに備え、ここにおいて、前記バッファステータス要求または前記バッファステータス情報のうちの少なくとも１つは、データフレームの高効率アグリゲート制御（ＨＥ Ａ−制御）フィールドにおいて提供される、請求項１に記載の方法。
【請求項９】
アクセスポイント（ＡＰ）であって、
１つまたは複数のプロセッサと、
前記１つまたは複数のプロセッサによって実行されると、前記ＡＰに、
ワイヤレス局（ＳＴＡ）がキューアップリンク（ＵＬ）データを有する１つまたは複数のアクセスカテゴリまたはトラフィック識別子（ＴＩＤ）と、前記１つまたは複数のアクセスカテゴリまたはＴＩＤに関連付けられたキューＵＬデータの量とを示すバッファステータス情報を、前記ＳＴＡから受信することと、
前記ＳＴＡから受信された前記バッファステータス情報に少なくとも部分的に基づいてリソースユニット（ＲＵ）割り振りスキームを決定することと、
前記ＲＵ割り振りスキームに従って前記ＳＴＡにＲＵの第１のセットを割り振ることと、
ＲＵの前記第１のセットを介して、前記ＳＴＡから前記キューＵＬデータのうちの少なくともいくつかを受信することと
を行わせる命令を記憶するメモリと
を備え、ここにおいて、前記バッファステータス情報は、前記１つまたは複数のアクセスカテゴリを識別するビットマップと、前記識別されたアクセスカテゴリのうちの少なくとも１つに属するキューＵＬデータの量を示す１つまたは複数のバッファ状態フィールドと、量子化値とを備え、
ここにおいて、前記１つまたは複数のバッファ状態フィールドにおいて提供される情報は、前記量子化値に基づいて量子化され、
ここにおいて、前記バッファステータス情報は、前記キューＵＬデータの優先度レベルをさらに示し、前記優先度レベルは、サービス品質（ＱｏＳ）パラメータ、遅延要件、前記キューＵＬデータに関連付けられた１つまたは複数のアクセスカテゴリ、あるいは前記キューＵＬデータに関連付けられた１つまたは複数のＴＩＤに少なくとも部分的に基づく、ＡＰ。
【請求項１０】
前記１つまたは複数のバッファ状態フィールドは、前記識別されたアクセスカテゴリの各々のためのそれぞれのバッファ状態フィールドを備える、請求項７に記載のＡＰ。
【請求項１１】
前記１つまたは複数のバッファ状態フィールドは、
前記識別されたアクセスカテゴリ間の最高優先度アクセスカテゴリに属するキューＵＬデータの量を示す第１のバッファ状態フィールドと、
前記最高優先度アクセスカテゴリ以外の任意のアクセスカテゴリに属するキューＵＬデータの量を示す第２のバッファ状態フィールドと
を備える、請求項７に記載のＡＰ。
【請求項１２】
前記１つまたは複数のバッファ状態フィールドは、
前記識別されたアクセスカテゴリ間の最高優先度アクセスカテゴリに属するキューＵＬデータの量を示す第１のバッファ状態フィールドと、
前記ＳＴＡにおけるキューＵＬデータのアグリゲート量を示す第２のバッファ状態フィールドと
を備える、請求項７に記載のＡＰ。
【請求項１３】
前記命令の実行は、前記ＡＰに、
前記バッファステータス情報を要求するバッファステータス要求を前記ＳＴＡに送信すること
をさらに行わせ、ここにおいて、前記バッファステータス要求または前記バッファステータス情報のうちの少なくとも１つは、データフレームの高効率アグリゲート制御（ＨＥ Ａ−制御）フィールドにおいて提供される、請求項７に記載のＡＰ。
【請求項１４】
その上で実行されると、請求項１ないし８のうちの１つに従って、方法を実行することをコンピュータに行わせる命令を備えるコンピュータプログラム。
【手続補正書】
【提出日】令和2年5月9日(2020.5.9)
【手続補正１】
【補正対象書類名】特許請求の範囲
【補正対象項目名】全文
【補正方法】変更
【補正の内容】
【特許請求の範囲】
【請求項１】
半導体パッケージであって、
ダイパドルと複数の導電体とを含むリードフレームと、
ボンドワイヤを介して前記複数の導電体に電気的に接続される半導体ダイと、
前記半導体ダイの一方の面に取り付けられるダイ取り付け材料と、
前記リードフレームと前記半導体ダイと前記ボンドワイヤとの一部分を覆うモールディング構造と、
前記モールディング構造内にあって前記半導体ダイを囲むキャビティであって、前記キャビティの一部が前記ダイ取り付け材料の底面と前記ダイパドルの上面との間にある、前記キャビティと、
を含み、
前記複数の導電体の各々の２つの表面が前記半導体パッケージから露出される、半導体パッケージ。
【請求項２】
請求項１に記載の半導体パッケージであって、
前記モールディング構造の部分に接触して前記キャビティを覆うフィルム層を更に含む、半導体パッケージ。
【請求項３】
請求項１に記載の半導体パッケージであって、
前記モールディング構造が、前記複数の導電体の各々の少なくとも一部を覆う、半導体パッケージ。
【請求項４】
請求項１に記載の半導体パッケージであって、
前記モールディング構造が、前記ボンドワイヤの各々の少なくとも一部を覆う、半導体パッケージ。
【請求項５】
請求項１に記載の半導体パッケージであって、
前記モールディング構造が、シリカを含むエポキシ樹脂材料から形成される、半導体パッケージ。
【請求項６】
請求項２に記載の半導体パッケージであって、
前記キャビティが、前記ボンドワイヤに接続される前記半導体ダイの側部に隣接するベントを含む、半導体パッケージ。
【請求項７】
請求項６に記載の半導体パッケージであって、
前記フィルム層が前記ベントを覆う、半導体パッケージ。
【請求項８】
請求項１に記載の半導体パッケージであって、
前記ダイパドルの底部が前記半導体パッケージから露出される、半導体パッケージ。
【請求項９】
請求項１に記載の半導体パッケージであって、
前記半導体ダイが、前記キャビティ内に浮遊するように前記ボンドワイヤによって吊られる、半導体パッケージ。
【手続補正書】
【提出日】令和2年4月28日(2020.4.28)
【手続補正１】
【補正対象書類名】特許請求の範囲
【補正対象項目名】全文
【補正方法】変更
【補正の内容】
【特許請求の範囲】
【請求項１】
データラインが配置されるデータライン層；
前記データライン層上に配置され、共通グラウンドおよび前記共通グラウンドと電気的に絶縁されるシャーシグラウンドを含むグラウンド層；
前記グラウンド層上に配置され、かつ、電源ラインが配置される電源ライン層；
前記データライン層と前記グラウンド層との間、および前記グラウンド層と前記電源ライン層との間に配置される絶縁層；
前記絶縁層を貫通して前記データライン層と前記シャーシグラウンドを電気的に連結する第１貫通電極；
前記絶縁層を貫通して前記電源ライン層と前記シャーシグラウンドを電気的に連結する第２貫通電極；および
前記シャーシグラウンドとシャーシケースを電気的に連結するシャーシ電極を含む、印刷回路基板。
【請求項２】
前記シャーシ電極と前記第１貫通電極および前記第２貫通電極との間の最小離隔距離は、前記シャーシ電極の直径の０．１〜０．２５倍である、請求項１に記載の印刷回路基板。
【請求項３】
前記第１貫通電極および前記第２貫通電極は電流密集領域に配置され、
前記電流密集領域は電流密度が前記印刷回路基板の平均電流密度より１．２倍以上高い領域である、請求項１に記載の印刷回路基板。
【請求項４】
前記第１貫通電極および前記第２貫通電極は電流密度が０．１Ａ／ｍｍ２〜２０Ａ／ｍｍ２である領域に配置される、請求項２に記載の印刷回路基板。
【請求項５】
直列連結されたインダクタおよび抵抗素子を含む保護回路を含む、請求項１に記載の印刷回路基板。
【請求項６】
前記インダクタは、データ伝送方向に前記抵抗素子よりも前端に配置される、請求項５に記載の印刷回路基板。
【請求項７】
シャーシケース；
前記シャーシケース内に配置される印刷回路基板；および
前記印刷回路基板上に配置されて複数個のグラウンドを有する少なくとも一つの能動素子を含み、
前記印刷回路基板は、
データラインが配置されるデータライン層；
前記データライン層上に配置され、共通グラウンドおよび前記共通グラウンドと電気的に絶縁されるシャーシグラウンドを含むグラウンド層；
前記グラウンド層上に配置され、かつ、電源ラインが配置される電源ライン層；
前記データライン層と前記グラウンド層との間、および前記グラウンド層と前記電源ライン層との間に配置される絶縁層；
前記絶縁層を貫通して前記データライン層と前記シャーシグラウンドを電気的に連結する第１貫通電極；
前記絶縁層を貫通して前記電源ライン層と前記シャーシグラウンドを電気的に連結する第２貫通電極；
前記絶縁層を貫通して前記少なくとも一つの能動素子のグラウンドと前記シャーシグラウンドを電気的に連結する第３貫通電極；
前記シャーシグラウンドと前記シャーシケースを電気的に連結するシャーシ電極；および
前記少なくとも一つの能動素子と連結される保護回路を含み、
前記保護回路は直列連結されたインダクタおよび抵抗素子を含み、
前記インダクタは前記能動素子にデータが伝送される方向に前記抵抗素子よりも前端に配置され、
前記第１貫通電極および前記第２貫通電極は電流密集領域に配置されたグラウンドと前記シャーシ電極を連結し、
前記電流密集領域の電流密度は前記印刷回路基板の平均電流密度より１．２倍以上高い電子部品パッケージ。
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
共有無線周波数スペクトル帯域のリソースの第1のセットを使用して、ダウンリンク(DL)制御メッセージを受信するステップと、
前記DL制御メッセージのダウンリンク制御情報(DCI)のフォーマットを特定するステップと、
前記DCIの前記特定されたフォーマットに少なくとも一部基づいて、前記DL制御メッセージの機能を決定するステップと
を備え、前記DL制御メッセージの前記機能がアップリンク送信のトリガまたはフレーム構造の指示のうちの少なくとも1つを備える、方法。
【請求項２】
前記DL制御メッセージの制御チャネルタイプを特定するステップと、
前記制御チャネルタイプに少なくとも一部基づいて、アップリンク(UL)送信の開始時間を決定するステップと
をさらに備える、請求項1に記載の方法。
【請求項３】
ユーザ機器(UE)能力と前記制御チャネルタイプの一方または両方に少なくとも一部基づいて、前記UL送信の期間を決定するステップをさらに備える、請求項2に記載の方法。
【請求項４】
前記期間の間にULメッセージを送信するステップをさらに備え、前記ULメッセージが、物理アップリンク制御チャネル(PUCCH)メッセージ、短PUCCH(sPUCCH)メッセージ、増強PUCCH(ePUCCH)メッセージ、以前のDL送信に対応する肯定応答(ACK)メッセージ、または物理アップリンク共有チャネル(PUSCH)メッセージのうちの少なくとも1つを備える、請求項3に記載の方法。
【請求項５】
前記DL制御メッセージを受信する前に物理アップリンク共有チャネル(PUSCH)送信のためのグラントを受信するステップをさらに備える、請求項1に記載の方法。
【請求項６】
クロス送信機会(TxOP)グラントを受信するステップであって、前記DL制御メッセージの前記機能がクロスTxOPグラントのトリガであり、前記クロスTxOPグラントが前記クロスTxOPグラントのトリガの前に受信される、ステップと、
前記クロスTxOPグラントおよび前記クロスTxOPグラントのトリガに応答してULメッセージを送信するステップと
をさらに備える、請求項1に記載の方法。
【請求項７】
前記クロスTxOPグラントのトリガの位置を示すクロスTxOP構成を受信するステップをさらに備える、請求項6に記載の方法。
【請求項８】
前記クロスTxOPグラントのトリガが、前記DL制御メッセージの単一のビットを備える、請求項6に記載の方法。
【請求項９】
前記クロスTxOPグラントのトリガが、複数のクロスTxOPグラントに対応する前記DL制御メッセージの複数のビットを備える、請求項6に記載の方法。
【請求項１０】
前記DL制御メッセージが、共通物理ダウンリンク制御チャネル(C-PDCCH)である、請求項1に記載の方法。
【請求項１１】
前記アップリンク送信のトリガまたは前記フレーム構造の指示のうちの前記少なくとも1つが、短物理アップリンク制御チャネル(sPUCCH)のトリガ、増強PUCCH(ePUCCH)のトリガ、またはクロス送信機会(TxOP)グラントのトリガのうちの少なくとも1つを備える、請求項1に記載の方法。
【請求項１２】
ワイヤレス通信の方法であって、
ダウンリンク(DL)制御メッセージの機能を構成するステップであって、前記DL制御メッセージの前記機能がアップリンク送信のトリガまたはフレーム構造の指示のうちの少なくとも1つを備える、ステップと、
前記DL制御メッセージの前記機能に少なくとも一部基づいて、前記DL制御メッセージのダウンリンク制御情報(DCI)のフォーマットを選択するステップと、
免許不要無線周波数スペクトル帯域のリソースの第1のセットを使用して、前記DL制御メッセージを送信するステップと
を備える、方法。
【請求項１３】
クロス送信機会(TxOP)グラントを送信するステップであって、前記DL制御メッセージの前記機能がクロスTxOPグラントのトリガであり、前記クロスTxOPグラントが前記クロスTxOPグラントのトリガの前に送信される、ステップと、
前記クロスTxOPグラントおよび前記クロスTxOPグラントのトリガに応答してアップリンク(UL)メッセージを受信するステップと
をさらに備える、請求項12に記載の方法。
【請求項１４】
前記クロスTxOPグラントのトリガの位置を示すクロスTxOP構成を送信するステップをさらに備える、請求項13に記載の方法。
【請求項１５】
請求項1乃至14のいずれか1項に記載の方法を実行するための手段を備えたワイヤレス通信のための装置。
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
ビデオデータのブロックに対する予測情報および量子化変換係数をエントロピー復号するステップと、
ビデオデータのブロック用の2次変換シンタックス要素にとっての最大可能値を決定するステップと、
前記決定された最大可能値に基づいて、前記2次変換シンタックス要素に対する値をエントロピー復号するために使用されるべきコンテキストモデルを決定するステップと、
前記ブロック用の2次変換を表す2値化値を形成するために、前記決定されたコンテキストモデルを使用して、前記ブロックの前記2次変換シンタックス要素に対する値をエントロピー復号するステップと、
前記ブロック用の前記2次変換を決定するために、前記2次変換シンタックス要素に対する前記値を逆2値化するステップであって、逆2値化するステップが、前記決定された最大可能値にかかわらず、前記2次変換シンタックス要素に対する前記値を逆短縮単項2値化するステップを備える、ステップと、
前記決定された2次変換を使用して前記ブロックの変換係数を逆変換するステップと
を備える方法。
【請求項２】
エントロピー復号するステップが、前記2次変換シンタックス要素に対する前記値の所定数のビットを、前記決定されたコンテキストモデルを使用してコンテキストベースエントロピー復号し、前記2次変換シンタックス要素に対する前記値の残りのビットを、バイパスモードを使用してエントロピー復号するステップを備える、請求項1に記載の方法。
【請求項３】
エントロピー復号するステップが、コンテキストモデリングなしに前記所定数のビット以外のビットをエントロピー復号するステップを備える、請求項2に記載の方法。
【請求項４】
前記コンテキストモデルを決定するステップが、前記ブロックがルミナンスブロックであるのかまたはクロミナンスブロックであるのかに基づいて前記コンテキストモデルを決定するステップを備える、請求項2に記載の方法。
【請求項５】
前記コンテキストモデルを決定するステップが、
前記ブロックが前記ルミナンスブロックであるのかまたは前記クロミナンスブロックであるのかにかかわらず、前記所定数のビットのうちの、順序が1番目のビットのための第1のコンテキストモデルを決定するステップを備え、
前記ブロックが前記ルミナンスブロックであるとき、前記方法が、前記順序が1番目のビットに後続する前記所定数のビットのうちの残りのビットを、コンテキストの第1のセットを使用してコンテキストベースエントロピー復号するステップを備え、
前記ブロックが前記クロミナンスブロックであるとき、前記方法が、前記所定数のビットのうちの前記残りのビットを、前記コンテキストの第1のセットとは異なるコンテキストの第2のセットを使用してコンテキストベースエントロピー復号するステップを備える、
請求項4に記載の方法。
【請求項６】
前記2次変換シンタックス要素をエントロピー復号するステップが、位置依存イントラ予測合成(PDPC)シンタックス要素の値に少なくとも部分的に基づいて、前記2次変換シンタックス要素のビットをエントロピー復号するための1つまたは複数のコンテキストを決定するステップを備える、請求項1に記載の方法。
【請求項７】
前記コンテキストを決定するステップが、前記ブロック用の予測モードまたは前記ブロックのサイズのうちの1つまたは複数に基づいて前記コンテキストを決定するステップをさらに備える、請求項6に記載の方法。
【請求項８】
前記ブロックが、コーディングユニットの第1の成分を備え、前記コーディングユニットが、1つまたは複数の追加の成分を備え、前記方法が、前記2次変換シンタックス要素の前記値を、前記コーディングユニットの前記1つまたは複数の追加の成分のうちの少なくとも1つに適用するステップをさらに備える、請求項1に記載の方法。
【請求項９】
前記第1の成分が、第1のクロミナンス成分を備え、前記1つまたは複数の追加の成分が、第2のクロミナンス成分を備え、前記2次変換シンタックス要素の前記値を適用するステップが、前記2次変換シンタックス要素の前記値を前記第2のクロミナンス成分に適用するステップを備える、請求項8に記載の方法。
【請求項１０】
前記1つまたは複数の追加の成分が、ルミナンス成分を備え、前記2次変換シンタックス要素の前記値を適用するステップが、前記2次変換シンタックス要素の前記値を前記ルミナンス成分に適用するステップを備える、請求項9に記載の方法。
【請求項１１】
前記ブロックの非ゼロ係数の個数、前記非ゼロ係数に対する絶対値の和、または前記ブロック用の予測モードのうちの1つまたは複数に基づいて、前記2次変換シンタックス要素が所定のデフォルト値を有すると決定するステップをさらに備える請求項8に記載の方法。
【請求項１２】
ビデオデータを復号するためのデバイスであって、
ビデオデータを記憶するように構成されたメモリと、
回路の中に実装された1つまたは複数のプロセッサとを備え、前記1つまたは複数のプロセッサが、
ビデオデータのブロック用の2次変換シンタックス要素にとっての最大可能値を決定することと、
前記ブロック用の2次変換を表す2値化値を形成するために、前記ブロックの前記2次変換シンタックス要素に対する値をエントロピー復号することと、
前記ブロック用の前記2次変換を決定するために、前記最大可能値にかかわらず共通の2値化方式を使用して、前記2次変換シンタックス要素に対する前記値を逆2値化することと、
前記決定された2次変換を使用して前記ブロックの変換係数を逆変換することとを行うように構成される、
デバイス。
【請求項１３】
前記1つまたは複数のプロセッサが、前記決定された最大可能値に基づいて、前記2次変換シンタックス要素に対する前記値をエントロピー復号するために使用されるべきコンテキストモデルを決定し、前記決定されたコンテキストモデルを使用して前記値をエントロピー復号するようにさらに構成される、請求項12に記載のデバイス。
【請求項１４】
前記共通の逆2値化方式が、逆短縮単項2値化を備え、前記1つまたは複数のプロセッサが、前記決定された最大可能値にかかわらず前記2次変換シンタックス要素に対する前記値を逆短縮単項2値化するように構成される、請求項12に記載のデバイス。
【請求項１５】
前記ブロックが、コーディングユニットの第1の成分を備え、前記コーディングユニットが、1つまたは複数の追加の成分を備え、前記1つまたは複数のプロセッサが、前記2次変換シンタックス要素の前記値を、前記コーディングユニットの前記1つまたは複数の追加の成分のうちの少なくとも1つに適用するようにさらに構成される、請求項12に記載のデバイス。
【請求項１６】
カメラ、コンピュータ、モバイルデバイス、ブロードキャスト受信機デバイス、またはセットトップボックスのうちの1つまたは複数を含む、請求項12に記載のデバイス。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
アプリケーションコンテンツシグナリング情報を配送するための方法であって、
受信機デバイスによって獲得されるべきアプリケーションの1つまたは複数のアプリケーションコンテンツアイテム用のメタデータフラグメントを、サーバのプロセッサによって生成するステップと、
前記メタデータフラグメントによって記述された前記1つまたは複数のアプリケーションコンテンツアイテムを使用する他のリニアサービスのリストを含む属性の第1のセットを、前記プロセッサによって前記メタデータフラグメントに追加するステップと、
前記メタデータフラグメントを前記受信機デバイスへ、前記プロセッサによって送信するステップと
を備え、
属性の前記第1のセットが、前記アプリケーション用の少なくとも1つの配信ウィンドウに対する開始時刻および終了時刻をさらに含み、
前記少なくとも1つの配信ウィンドウが、前記少なくとも1つの配信ウィンドウ中に配送される補助アプリケーションコンテンツについての情報に関連する、
方法。
【請求項２】
属性の前記第1のセットが、前記アプリケーションに対するアプリケーション起動ページまたは起動ファイルインジケータをさらに含む、請求項1に記載の方法。
【請求項３】
属性の前記第1のセットが、前記アプリケーションおよびそれの関連する1つまたは複数のアプリケーションコンテンツアイテムをレンダリングするための必須能力の表示をさらに含む、請求項1に記載の方法。
【請求項４】
前記少なくとも1つの配信ウィンドウ中に配送される前記補助アプリケーションコンテンツについての前記情報が、その配信ウィンドウに対するバージョン識別子、および前記少なくとも1つの配信ウィンドウ中に配送される各アプリケーションコンテンツに関連する少なくとも1つのフィルタ用語を含む、請求項1に記載の方法。
【請求項５】
同じバージョンを有する前記少なくとも1つの配信ウィンドウ中に配送される前記アプリケーションコンテンツが同じである、請求項4に記載の方法。
【請求項６】
アプリケーションコンテンツシグナリング情報を取得するための方法であって、
アプリケーションに関連するアプリケーションコンテンツアイテム用のメタデータフラグメントを受信機デバイスのプロセッサによって受信するステップであって、前記メタデータフラグメントが、前記アプリケーションコンテンツアイテムを使用する他のリニアサービスのリストを含む属性のセットを備える、ステップと、
前記メタデータフラグメントの属性の前記セットが前記アプリケーション用の少なくとも1つの配信ウィンドウを備えるかどうかを、前記プロセッサによって決定するステップと、
前記メタデータフラグメントの属性の前記セットが前記アプリケーション用の少なくとも1つの配信ウィンドウを備えると決定すると、
前記少なくとも1つの配信ウィンドウが開始時刻および終了時刻に関連するかどうかを前記プロセッサによって決定し、
前記少なくとも1つの配信ウィンドウが、前記少なくとも1つの配信ウィンドウ中に配送される補助アプリケーションコンテンツについての情報に関連するかどうかを、前記プロセッサによって決定するステップと、
実際の時刻がアプリケーション用の配信ウィンドウ内にあるかどうかを前記プロセッサによって決定するステップと、
前記実際の時刻がアプリケーション用の配信ウィンドウ内にあるという決定に応答して、前記アプリケーションコンテンツアイテムを前記プロセッサによって取得するステップと、
前記実際の時刻がアプリケーション用の配信ウィンドウ内にないという決定に応答して、前記アプリケーションコンテンツアイテムを前記プロセッサによって取得しないステップと、
前記アプリケーションコンテンツアイテムに関連するメディアコンテンツを前記プロセッサによってレンダリングするステップと
を備える方法。
【請求項７】
前記他のリニアサービスのうちの1つまたは複数による将来の使用のために前記アプリケーションコンテンツアイテムを前記プロセッサによってキャッシュするステップ
をさらに備える、請求項6に記載の方法。
【請求項８】
前記受信機デバイスが前記アプリケーションコンテンツアイテムをすでに記憶しているかどうかを、属性の前記セットから前記プロセッサによって決定するステップと、
前記受信機デバイスが前記アプリケーションコンテンツアイテムをすでに記憶しているという決定に応答して、前記アプリケーションコンテンツアイテムを前記プロセッサによって取得しないステップと
をさらに備える、請求項6に記載の方法。
【請求項９】
前記少なくとも1つの配信ウィンドウ中に配送される前記補助アプリケーションコンテンツについての前記情報が、その配信ウィンドウに対するバージョン識別子、および前記少なくとも1つの配信ウィンドウ中に配送される各アプリケーションコンテンツに関連する少なくとも1つのフィルタ用語を含む、請求項6に記載の方法。
【請求項１０】
前記少なくとも1つの配信ウィンドウ中に配送される各アプリケーションコンテンツに関連する前記少なくとも1つのフィルタ用語が、前記プロセッサにとって局所的に利用可能な前記少なくとも1つのフィルタ用語と一致するという、前記プロセッサによる決定に応答して、
前記少なくとも1つの配信ウィンドウ中に配送される対応する前記補助アプリケーションコンテンツを前記プロセッサによってダウンロードおよび記憶し、
サーバのプロセッサによって公開されたアプリケーションプログラミングインターフェースを呼び出すことによって、前記少なくとも1つの局所的に利用可能なフィルタ用語を前記プロセッサによって取得するステップ
をさらに備える、請求項9に記載の方法。
【請求項１１】
前記少なくとも1つの配信ウィンドウ中に配送される各アプリケーションコンテンツに関連する前記少なくとも1つのフィルタ用語のいずれもが、前記プロセッサにとって局所的に利用可能な前記少なくとも1つのフィルタ用語のいずれにも一致しないという決定に応答して、前記少なくとも1つの配信ウィンドウ中に配送される対応する前記補助アプリケーションコンテンツを前記プロセッサによって軽視するステップ
をさらに備える、請求項9に記載の方法。
【請求項１２】
前記少なくとも1つの配信ウィンドウ中に配送される前記補助アプリケーションコンテンツをダウンロードおよび記憶すべきか否かを決定するためのフィルタ用語一致プロシージャが実行されているという、前記プロセッサによる、前記少なくとも1つの配信ウィンドウの所与のバージョン識別子に対する決定に応答して、
同じバージョン識別子に関連する前記配信ウィンドウのいかなる他のインスタンスも前記プロセッサによって無視し、
異なるバージョン識別子に関連する前記少なくとも1つの配信ウィンドウ中に配送される前記補助アプリケーションコンテンツをダウンロードおよび記憶すべきか否かを決定するための前記フィルタ用語一致プロシージャを、前記プロセッサによって実行するステップ
をさらに備える、請求項9に記載の方法。
【請求項１３】
請求項1から5のいずれか一項に記載の方法を実行するための手段を備えるサーバ。
【請求項１４】
請求項6から12のいずれか一項に記載の方法を実行するための手段を備える受信機デバイス。
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
高密度リポタンパク質由来ナノ粒子（ＨＤＬ）を活性成分として含む、自己免疫疾患の治療のための医薬であって、
前記ＨＤＬは、ｍＴＯＲ阻害剤を含み、ＣＤ４０−ＴＲＡＦ６阻害剤を含んでもよく、
前記ＨＤＬは、１，２−ジミリストイル−ｓｎ−グリセロ−３−ホスファチジルコリン（ＤＭＰＣ）、１−ミリストイル−２−ヒドロキシ−ｓｎ−グリセロ−ホスホコリン（ＭＨＰＣ）およびＡｐｏＡ−１を含む、
医薬。
【請求項２】
ｍＴＯＲ阻害剤が、ラパマイシンナノ粒子（ｍＴＯＲ−ＨＤＬ）として製剤化されているラパマイシンまたはその薬学的に許容可能な塩、溶媒和物、ポリモルフ、互変異性体またはプロドラッグであり、ＣＤ４０−ＴＲＡＦ６阻害剤が、ＴＲＡＦ６ｉ−ＨＤＬナノ粒子として製剤化されている６８７７００２またはその薬学的に許容可能な塩、溶媒和物、ポリモルフ、互変異性体またはプロドラッグである、請求項１に記載の医薬。
【請求項３】
前記自己免疫疾患が、セリアック病、Ｉ型糖尿病、多発性硬化症、甲状腺炎、グレーブス病、全身性エリテマトーデス、強皮症、乾癬、関節炎、関節リウマチ、脱毛症、強直性脊椎炎、チャーグ・ストラウス症候群、自己免疫性溶血性貧血、自己免疫性肝炎、ベーチェット病、クローン病、皮膚筋炎、糸球体腎炎、ギラン・バレー症候群、過敏性腸疾患（ＩＢＤ）、ループス腎炎、重症筋無力症、心筋炎、天疱瘡／類天疱瘡、悪性貧血、結節性多発動脈炎、多発性筋炎、原発性胆汁性肝硬変、リウマチ熱、サルコイドーシス、シェーグレン症候群、潰瘍性大腸炎、ブドウ膜炎、白斑、およびヴェーゲナー肉芽腫症から成る群より選択される、請求項１に記載の医薬。
【請求項４】
前記自己免疫疾患が、急性冠動脈症候群、心筋梗塞、狭心症、末梢血管疾患、間欠性跛行、心筋虚血、脳卒中、心不全およびそれらの組み合わせなどの、冠動脈アテローム性動脈硬化症、糖尿病性アテローム性動脈硬化症、アテローム性動脈硬化症の続発症を含むアテローム性動脈硬化状態である、請求項１に記載の医薬。
【請求項５】
前記自己免疫疾患が、急性冠動脈症候群、心筋梗塞、狭心症、末梢血管疾患、間欠性跛行、心筋虚血、脳卒中、心不全およびそれらの組み合わせなどの、冠動脈アテローム性動脈硬化症、糖尿病性アテローム性動脈硬化症、アテローム性動脈硬化症の続発症である、請求項１に記載の医薬。
【請求項６】
治療が、器官または組織移植片に施され、移植組織が、肺組織、心臓組織、腎臓組織、肝臓組織、網膜組織、角膜組織、皮膚組織、膵臓組織、腸組織、生殖組織、卵巣組織、骨組織、腱組織、骨髄、または血管組織である、請求項１に記載の医薬。
【請求項７】
静脈内投与または動脈内投与のために製剤化されている、請求項１に記載の医薬。
【請求項８】
１種以上の免疫抑制剤をさらに含む、請求項１に記載の医薬。
【請求項９】
ＭＨＰＣに対するＤＭＰＣの重量比が、約３：１である、請求項１に記載の医薬。
【請求項１０】
薬学的に許容可能な担体、希釈剤、賦形剤および／またはアジュバントをさらに含む、請求項１に記載の医薬。
【請求項１１】
１種以上の免疫抑制剤または抗炎症剤をさらに含む、請求項１または１０に記載の医薬。
【請求項１２】
前記免疫抑制剤が、シクロスポリンＡまたはＦＫ５０６である、請求項１１に記載の医薬。
【請求項１３】
ＭＨＰＣに対するＤＭＰＣの重量比が、約８：１〜約９：１の範囲である、請求項１に記載の医薬。
【請求項１４】
ＣＤ４０−ＴＲＡＦ６阻害剤が、ＴＲＡＦ６ｉ−ＨＤＬナノ粒子として製剤化されている６８７７００２またはその薬学的に許容可能な塩、溶媒和物、ポリモルフ、互変異性体またはプロドラッグである、請求項１に記載の医薬。
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
経皮吸収ビタミン製剤であって、
生理学的有効量のビタミンＢ１２、
連行剤としてのポロキサマー、並びに
担体マトリクスの形成のための担体物質
を含む、ビタミン製剤。
【請求項２】
前記ポロキサマーがポロキサマー１８８又は４０７である、請求項１に記載のビタミン製剤。
【請求項３】
製剤１００ｇ当たり４０〜１００ｍｇのビタミンＢ１２を含む、請求項１又は２に記載のビタミン製剤。
【請求項４】
製剤１００ｇ当たり５０〜５００ｍｇのポロキサマーを含む、請求項１〜３のいずれか１項に記載のビタミン製剤。
【請求項５】
ポリヘキサニドを含む、請求項１〜４のいずれか１項に記載のビタミン製剤。
【請求項６】
製剤１００ｇ当たり５０〜５００ｍｇの２０％ポリヘキサニド溶液を含む、請求項５に記載のビタミン製剤。
【請求項７】
尿素を含む、請求項１〜６のいずれか１項に記載のビタミン製剤。
【請求項８】
ポリソルベートを含む、請求項１〜７のいずれか１項に記載のビタミン製剤。
【請求項９】
製剤１００ｇ当たり２０〜１００ｍｇのポリソルベートを含む、請求項８に記載のビタミン製剤。
【請求項１０】
ポリソルベート２０（Ｔｗｅｅｎ（登録商標））を含む、請求項８又は９に記載のビタミン製剤。
【請求項１１】
４０〜１００ｍｇのビタミンＢ１２又は補酵素型Ｂ１２の別の前駆体；
５０〜５００ｍｇの２０％ポリヘキサニド水溶液；
２０〜５００ｍｇのポロキサマー；
１０００〜５０００ｍｇのグリセリン；
５００〜５０００ｍｇのヒドロキシエチルセルロース４００；
２５００〜７０００ｍｇの尿素；
ｐＨ５．４に緩衝するためのクエン酸；
ｐＨ５．４に緩衝するためのＮａＯＨ；並びに
１００ｇに調整するための脱塩水
を含む、請求項１〜１０のいずれか１項に記載のビタミン製剤。
【請求項１２】
１０００ｍｇ〜４０００ｍｇのＰＥＧ４００をさらに含む、請求項１１に記載のビタミン製剤。
【請求項１３】
皮膚に適用するためのパッド上／中に含まれるか、或いは粘膜への適用のための経鼻スプレイ又はチンキとして提供される、請求項１〜１２のいずれか１項に記載のビタミン製剤。
【請求項１４】
経皮吸収製剤の製造における、皮膚を通して生理学的及び／又は治療的活性及び有効物質を投与するための連行剤としてのポロキサマーの使用。

【手続補正２】
【補正対象書類名】明細書
【補正対象項目名】００３４
【補正方法】変更
【補正の内容】
【００３４】
純粋なビタミンＢ１２溶液（連行剤無し）を用いると、３．０ｍｇのＣｏ／ｋｇしかＣｏ吸収が得られなかった。
最後に、本発明の好ましい実施態様を項分け記載する。
［実施態様１］
経皮吸収ビタミン製剤、特に皮膚に適用するためのゲル形態のビタミン製剤であって、
生理学的有効量のビタミンＢ１２、
連行剤としてのポロキサマー、並びに
担体マトリクスの形成のための通常の担体物質
を含む、ビタミン製剤。
［実施態様２］
前記ポロキサマーが、ポロキサマー１８８又は４０７である、実施態様１に記載のビタミン製剤。
［実施態様３］
製剤１００ｇ当たり４０〜１００ｍｇのビタミンＢ１２を含む、実施態様１又は２に記載のビタミン製剤。
［実施態様４］
製剤１００ｇ当たり５０〜５００ｍｇのポロキサマーを含む、実施態様１〜３のいずれかに記載のビタミン製剤。
［実施態様５］
ポリヘキサニドを含む、実施態様１〜４のいずれかに記載のビタミン製剤。
［実施態様６］
製剤１００ｇ当たり５０〜５００ｍｇの２０％ポリヘキサニド溶液を含む、実施態様５に記載のビタミン製剤。
［実施態様７］
尿素を含む、実施態様１〜６のいずれかに記載のビタミン製剤。
［実施態様８］
ポリソルベートを含む、実施態様１〜７のいずれかに記載のビタミン製剤。
［実施態様９］
製剤１００ｇ当たり２０〜１００ｍｇのポリソルベートを含む、実施態様８に記載のビタミン製剤。
［実施態様１０］
ポリソルベート２０（Ｔｗｅｅｎ（登録商標））を含む、実施態様８又は９に記載のビタミン製剤。
［実施態様１１］
４０〜１００ｍｇのビタミンＢ１２又は補酵素Ｂ１２の別の前駆体；
５０〜５００ｍｇの２０％水溶液中のポリヘキサニド；
２０〜５００ｍｇのポロキサマー；
１０００〜５０００ｍｇのグリセリン；
５００〜５０００ｍｇのヒドロキシエチルセルロース４００；
２５００〜７０００ｍｇの尿素；
ｐＨ５．４に緩衝するためのクエン酸；
ｐＨ５．４に緩衝するためのＮａＯＨ；並びに
１００ｇに調整する脱塩水
を含む、実施態様１〜１０のいずれかに記載のビタミン製剤。
［実施態様１２］
１０００ｍｇ〜４０００ｍｇのＰＥＧ４００をさらに含む、実施態様１１に記載のビタミン製剤。
［実施態様１３］
皮膚に適用するためのパッド上／中に含まれる、或いは粘膜への適用のための経鼻スプレイ又はチンキとしてである、実施態様１〜１２のいずれかに記載のビタミン製剤。
［実施態様１４］
皮膚を通して生理学的及び／又は治療的活性及び有効物質を投与するための連行剤としてのポロキサマーの使用。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
１つまたは複数の補強用糸を含む補強製品であって、前記糸が個々にまたはまとめてシースで覆われており、前記シースがシース組成物を含み、前記シース組成物が１つまたは複数の熱可塑性ブロックコポリマーを含み、前記熱可塑性ブロックコポリマーが、少なくとも１つのポリアミドブロック、少なくとも１つのポリオレフィンブロック、少なくとも１つのアルキレンブロックを含み、２３０℃において振動レオロジーで測定された３００Ｐａ．ｓ〜２００００Ｐａ．ｓ、特に３００〜１５０００Ｐａ．ｓの範囲の溶融粘度を示し、シースされた糸自体がゴム組成物に埋め込まれている、前記補強製品。
【請求項２】
ポリアミドブロックが脂肪族であることを特徴とする、請求項１に記載の補強製品。
【請求項３】
ポリアミドブロックが、電位差測定で測定された４０００〜２００００ｇ／ｍｏｌの間の数平均分子量を示すことを特徴とする、請求項１または２に記載の補強製品。
【請求項４】
ポリアミドブロックが、ＰＡ６、ＰＡ１１、ＰＡ１２、ＰＡ６．１０、ＰＡ６．６、ＰＡ６．１２、ＰＡ１０．１０およびＰＡ１０．１２から選択される少なくとも１つの単位を含むことを特徴とする、請求項１から３のいずれか１項に記載の補強製品。
【請求項５】
ポリオレフィンブロックがポリブタジエンであることを特徴とする、請求項１から４のいずれか１項に記載の補強製品。
【請求項６】
ブロックコポリマーが、以下の式：
ＰＡ−（Ｒ−Ｐｏｌ−Ｒ−ＰＡ）n−Ｒ−Ｐｏｌ−Ｒ−ＰＡ
（式中、ｎは０〜１００の間、特に０〜１０、好ましくは０または１であり、
ＰＡはポリアミドブロックを意味し、
Ｒはアルキレンブロックを意味し、
Ｐｏｌはポリオレフィンブロックを意味する）
を有することを特徴とする、請求項１から５のいずれか１項に記載の補強製品。
【請求項７】
−  ポリアミドブロックの含有量が、ブロックコポリマーの総質量に対して、２質量％〜９８質量％の間であり、
−  ポリオレフィンブロックの含有量が、ブロックコポリマーの総質量に対して、２質量％〜９８質量％の間であり、
−  アルキレンブロックの含有量が、ブロックコポリマーの総質量に対して、０．１質量％〜２５質量％の間、好ましくは１質量％〜１５質量％の間であることを特徴とする、請求項１から６のいずれか１項に記載の補強製品。
【請求項８】
ブロックコポリマーが、少なくとも１つの連鎖延長ブロックを含むことを特徴とする、請求項１から７のいずれか１項に記載の補強製品。
【請求項９】
ゴム組成物が補強充填剤を含むことを特徴とする、請求項１から８のいずれか１項に記載の補強製品。
【請求項１０】
請求項１から９のいずれか１項に記載の補強製品を含むタイヤ。
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
アンブリセンタンを含む、治療を必要とする対象者における肝腎症候群の治療用医薬組成物であって、対象者におけるアンブリセンタンの血漿レベルが約100ng/ml未満に維持される、医薬組成物。
【請求項２】
アンブリセンタンを含む、治療を必要とする対象者における難治性腹水の治療用医薬組成物であって、対象者におけるアンブリセンタンの血漿レベルが約100ng/ml未満に維持される、医薬組成物。
【請求項３】
アンブリセンタンを含む、治療を必要とする対象者における希釈性低ナトリウム血症の治療用医薬組成物であって、対象者におけるアンブリセンタンの血漿レベルが約100ng/ml未満に維持される、医薬組成物。
【請求項４】
アンブリセンタンを含む、治療を必要とする対象者における心腎症候群の治療用医薬組成物であって、対象者におけるアンブリセンタンの血漿レベルが約100ng/ml未満に維持される、医薬組成物。
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
バインダーと、
反応生成物を含むポリマー吸着剤と、
を含む複合顆粒であって、当該反応生成物が、
（ａ）重合性組成物の重合生成物を含む前駆体ポリマー材料であって、
前記重合性組成物が
（１）前記重合性組成物中のモノマーの総重量に基づいて８〜６５重量％の無水マレイン酸と、
（２）前記重合性組成物中のモノマーの総重量に基づいて３０〜８５重量％のジビニルベンゼンと、
（３）前記重合性組成物中のモノマーの総重量に基づいて０〜４０重量％のスチレン型モノマーであって、スチレン、アルキル置換スチレン又はこれらの組み合わせである、スチレン型モノマーと、
を含む、前駆体ポリマー材料と、
（ｂ）アンモニア又は少なくとも１つの一級アミノ基若しくは少なくとも１つの二級アミノ基を有する化合物から選択される窒素含有化合物と、
の反応生成物である、複合顆粒。
【請求項２】
前記バインダーの量が、前記複合顆粒の重量に基づいて１〜３０重量％の範囲内にある、請求項１に記載の複合顆粒。
【請求項３】
前記ポリマー吸着剤が、酸塩基比色指示薬を更に含む、請求項１に記載の複合顆粒。
【請求項４】
前記ポリマー吸着剤が、少なくとも２５ｍ２／ｇと等しいＢＥＴ表面積を有する、請求項１に記載の複合顆粒。
【請求項５】
反応性ガスを吸着させる方法であって、
請求項１〜４のいずれか一項に記載のバインダーとポリマー吸着剤とを含む複合顆粒を用意する工程と、
前記複合顆粒を、酸性ガス、酸性前駆体ガス又はこれらの混合物を含む反応性ガスに曝露する工程と、
前記反応性ガスを前記ポリマー吸着剤上に吸着させる工程と
を含む、方法。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
眼（１００）の虹彩角膜環状領域（１０１）のカラー像を生成および処理する方法であって、
予備ステップと検査ステップとを含んでおり、
前記予備ステップは、
少なくとも一つのカラー像検出装置（２０２）と少なくとも一つのカラー照明装置（２０１）のペアを較正するステップを含んでおり、
前記検査ステップは、
複数のピクセルの二次元アレイからなる前記カラー像検出装置（２０２）を通じて、眼（１００）の虹彩角膜環状領域（１０１）の少なくとも一つのカラー像を、三つの色次元により定義される色空間内において当該二次元アレイの各画素の色が三つの色成分に関連付けられるように検出するステップＡと、
注目領域に対応する検出された前記カラー像内において少なくとも一つのサブ像を選択するステップＢと、
選択された前記サブ像について、色成分の平均値、色成分の分散値、色成分の最小値、色成分の最大値、色成分の歪度値、色成分の尖度値、色成分の分布、色成分の分布勾配を含むグループから選ばれた少なくとも一つの統計パラメータを演算するステップＣと、
前記少なくとも一つの統計パラメータに基づいて指標を決定するステップＤと、
前記指標を検査結果として提供するステップＥと、
を含んでいる、
方法。
【請求項２】
前記ステップＣは、前記サブ像の少なくとも一つの演算色を演算することに対応しており、
前記ステップＤは、前記少なくとも一つの演算色と少なくとも一つの比較色の間の少なくとも一つの距離を演算することに対応しており、
前記ステップＥは、前記少なくとも一つの距離を検査結果として提供することに対応している、
請求項１に記載の方法。
【請求項３】
前記少なくとも一つの比較色は、予め定められている、
請求項２に記載の方法。
【請求項４】
前記少なくとも一つの比較色は、複数人を対象とした検査キャンペーンを通じて取得されたものである、
請求項３に記載の方法。
【請求項５】
前記サブ像の前記少なくとも一つの演算色は、平均色に対応しており、
前記平均色は、前記サブ像の全ての画素の三つの色成分の少なくとも一つに基づいている、
請求項２から４のいずれか一項に記載の方法。
【請求項６】
前記検査ステップは、
眼（１００）の虹彩角膜領域（１０１）の第二カラー像を検出し、注目領域に対応する当該第二カラー像内の第二サブ像を選択し、当該第二サブ像の第二演算色を演算するステップと、
前記第二カラー像の検出から時間間隔をあけて、前記眼（１００）の虹彩角膜領域（１０１）の第三カラー像を検出し、前記注目領域に対応する当該第三カラー像内の第三サブ像を選択し、当該第三サブ像の第三演算色を演算するステップと、
前記第二演算色と前記第三演算色の間の距離と、前記第二カラー像の検出から前記第三カラー像の検出までの時間の長さの比を算出するステップと、
前記比を検査結果として提供するステップと、
を含んでいる、
請求項２から５のいずれか一項に記載の方法。
【請求項７】
前記第二カラー像と前記第三カラー像の検出に先立ち、前記眼の虹彩角膜領域の第一カラー像を検出し、前記注目領域に対応する当該第一カラー像内の第一サブ像を選択し、当該第一サブ像の第一演算色（平均色など）を演算するステップを含むことにより、前記第一カラー像の検出から前記第二カラー像の検出までに時間間隔をあける、
請求項６に記載の方法。
【請求項８】
前記ステップＤにおいて、前記指標は、所定の格付けスケールに基づいて決定される、
請求項１に記載の方法。
【請求項９】
特に請求項１から８のいずれか一項に記載の方法を遂行するように構成された手段を備えている、装置（２００、３００、４００、５００）。
【請求項１０】
通信ネットワークからダウンロード可能、コンピュータが読み取り可能な媒体に記憶済み、および処理ユニット（３９１、４９１、５９１）のプロセッサが読み取り可能な媒体に記憶済みの少なくともいずれかであるコンピュータプログラム製品であって、
請求項１から８のいずれか一項に記載の方法における少なくとも前記ステップＢ、前記ステップＣ、および前記ステップＤを実行するためのプログラムコード命令を備えている、
コンピュータプログラム製品。